(57)【要約】      （修正有）【課題】ベース棚板と点検蓋との段差を解消するとともに、商品の陳列や取り出し時においても位置ずれを生じ難い冷凍・冷蔵ショーケースを提供する。【解決手段】内箱と外箱との間に冷気循環用通風路を形成し、外箱の底パネルに排水部を設けたショーケースにおいて、内箱を構成するベース棚板１５の排水部の上方に位置する部分に、周辺部に段下げ面を有する開口部２３と、該段下げ面上に開口部２３を覆うように載置されるとともに前記ベース棚板１５の上面とほぼ面一を成すように、該段下げ面にて形成される凹部に収容される点検蓋１７とを設け、前記段下げ面に係止孔２１，２２を形成し、且つ、該係止孔に挿入しうる係止片３０、３１を前記点検蓋１７の裏面に形成する。【選択図】図３
2010117043.tif 000002
【特許請求の範囲】
【請求項１】
内箱と外箱との間に冷気循環用通風路を形成し、外箱の底パネルに排水部を設けたショーケースにおいて、前記内箱を構成するベース棚板の前記排水部の上方に位置する部分に、周辺部に段下げ面を有する開口部と、前記段下げ面上に前記開口部を覆うように載置されるとともに前記ベース棚板の上面とほぼ面一を成すように、該段下げ面にて形成される凹部に収容される点検蓋とを設け、前記段下げ面に係止孔を形成し、且つ、該係止孔に挿入しうる係止片を前記点検蓋の裏面に形成したことを特徴とする冷凍・冷蔵ショーケース。
【請求項２】
前記係止片に、前記ベース棚板の裏面に当接し得る水平延部を水平方向に延設したことを特徴とする請求項１に記載の冷凍・冷蔵ショーケース。
【請求項３】
前記開口部の形状が矩形であって、該矩形の少なくとも対向する辺縁に前記段下げ面を有し、各段下げ面のそれぞれに、少なくとも１つの前記係止孔を形成したことを特徴とする請求項１または２に記載の冷凍・冷蔵ショーケース。
【請求項４】
前記対向する辺縁が、前記矩形とされた開口部の前縁と後縁であって、前記係止孔が前後方向に細長とされていることを特徴とする請求項３に記載の冷凍・冷蔵ショーケース。
【請求項５】
前記後縁の段下げ面に形成された係止孔に挿入される係止片のみに、水平方向後方側に延びる水平延部を形成したことを特徴とする請求項４に記載の冷凍・冷蔵ショーケース。
【請求項６】
前記点検蓋の前縁側に、開閉操作用の指孔が形成されていることを特徴とする請求項４または５に記載の冷凍・冷蔵ショーケース。
【発明の詳細な説明】
【技術分野】
【０００１】
本発明は、スーパーマーケットやデパートの食料品売場等に設置される、内箱と外箱との間に冷気循環用通風路を形成し、外箱の底パネルに排水部を設けた低温の冷凍・冷蔵ショーケースに関する。
【背景技術】
【０００２】
従来の冷凍・冷蔵ショーケースにおいては、内箱を構成するベース棚板における、外箱の底パネルに設けられた排水部の上方に位置する部分に開口部を穿設するとともに、該開口を必要に応じて開閉する点検蓋が取り付けられていた。（例えば、特許文献１〜３参照）
【０００３】
【特許文献１】特開２００３−３５４６６２号公報
【特許文献２】特開昭６３−９５０８９号公報
【特許文献３】特開昭６１−１３６２９０号公報
【発明の開示】
【発明が解決しようとする課題】
【０００４】
しかしながら、これら特許文献１〜３に例示する従来の冷凍・冷蔵ショーケースは、いずれも、ベース棚板と開口部を覆う点検蓋とに段差が生じるため、これら段差によって、陳列される商品が傾き、不自然な陳列となってしまう場合があった。
【０００５】
また、特許文献２の点検蓋（閉止栓０１０）は、比較的肉薄であって段差が少ないものの、開口部に載置されているのみであるので、商品の陳列や、陳列されている商品の取り出しに伴って、載置位置がずれて開口が露出し易いという問題があった。
【０００６】
本発明は、このような問題点に着目してなされたもので、ベース棚板と点検蓋との段差を解消するとともに、商品の陳列や取り出し時においても位置ずれを生じ難い冷凍・冷蔵ショーケースを提供することを目的とする。
【課題を解決するための手段】
【０００７】
上記課題を解決するために、本発明の請求項１に記載の冷凍・冷蔵ショーケースは、
内箱と外箱との間に冷気循環用通風路を形成し、外箱の底パネルに排水部を設けたショーケースにおいて、前記内箱を構成するベース棚板の前記排水部の上方に位置する部分に、周辺部に段下げ面を有する開口部と、前記段下げ面上に前記開口部を覆うように載置されるとともに前記ベース棚板の上面とほぼ面一を成すように、該段下げ面にて形成される凹部に収容される点検蓋とを設け、前記段下げ面に係止孔を形成し、且つ、該係止孔に挿入しうる係止片を前記点検蓋の裏面に形成したことを特徴としている。
この特徴によれば、点検蓋とベース棚板の上面とがほぼ面一となるので、ベース棚板と点検蓋との段差が解消されるとともに、点検蓋の裏面に形成された係止片が係止孔に挿入されて点検蓋が係止されるようになるので、商品の陳列や取り出し時における点検蓋の位置ずれを生じ難くなる。
【０００８】
本発明の請求項２に記載の冷凍・冷蔵ショーケースは、請求項１に記載の冷凍・冷蔵ショーケースであって、
前記係止片に、前記ベース棚板の裏面に当接し得る水平延部を水平方向に延設したことを特徴としている。
この特徴によれば、点検蓋が垂直方向に持ち上げられても、水平延部がベース棚板の裏面に当接するので、商品の陳列や取り出し時において、不必要に係止片が係止孔から抜去されてしまうことを極力防止できる。
【０００９】
本発明の請求項３に記載の冷凍・冷蔵ショーケースは、請求項１または２に記載の冷凍・冷蔵ショーケースであって、
前記開口部の形状が矩形であって、該矩形の少なくとも対向する辺縁に前記段下げ面を有し、各段下げ面のそれぞれに、少なくとも１つの前記係止孔を形成したことを特徴としている。
この特徴によれば、矩形の少なくとも対向する辺縁に係止孔を有することで、点検蓋の水平方向の回動が規制されるようになるので、点検蓋の回動による位置ずれを防止できる。
【００１０】
本発明の請求項４に記載の冷凍・冷蔵ショーケースは、請求項３に記載の冷凍・冷蔵ショーケースであって、
前記対向する辺縁が、前記矩形とされた開口部の前縁と後縁であって、前記係止孔が前後方向に細長とされていることを特徴としている。
この特徴によれば、装置の前方側から、点検蓋の後縁側を支点として前縁側を持ち上げて開口部を露出させて点検を実施できるようになり、点検時の操作性を向上できる。
【００１１】
本発明の請求項５に記載の冷凍・冷蔵ショーケースは、請求項４に記載の冷凍・冷蔵ショーケースであって、
前記後縁の段下げ面に形成された係止孔に挿入される係止片のみに、水平方向後方側に延びる水平延部を形成したことを特徴としている。
この特徴によれば、上記した請求項４の点検時の操作性を向上する効果を得つつ、商品の陳列や取り出し時において、不必要に係止片が係止孔から抜去されてしまうことも極力防止できる。
【００１２】
本発明の請求項６に記載の冷凍・冷蔵ショーケースは、請求項４または５に記載の冷凍・冷蔵ショーケースであって、
前記点検蓋の前縁側に、開閉操作用の指孔が形成されていることを特徴としている。
この特徴によれば、点検蓋を後縁側を支点として回動させて点検する際において、点検蓋を回動させるのに必要な力を低減できる。
【発明を実施するための最良の形態】
【００１３】
本発明の実施例を以下に説明する。
【実施例】
【００１４】
以下、本発明の実施例を図面に基づいて説明する。
【００１５】
図１は、本発明の一実施形態を示すもので、本発明が適用された冷凍・冷蔵ショーケースの側断面図、図２はベース棚板の斜視図であり、（ａ）は開閉蓋が載置されて点検口が閉ざされている状態であり、（ｂ）は開閉蓋が取り外されて点検口が開かれている状態を示している。図３は開閉蓋の点検口への取付け状況を示す図であり、図４は、開閉蓋の裏面斜視図、図５は点検口のＡ−Ａ断面図であり、図６は点検口のＢ−Ｂ断面図であり、図７は、ベース棚板の裏面分解斜視図である。
【００１６】
図１において、ショーケース１は、前面が開口された多段オープン型であって、貯蔵室２に陳列棚３のための内箱４が設けられていると共に、ショーケース本体には貯蔵室２と独立して区画形成された内箱４と外箱５で形成された冷気循環用通風路６が設けられている。
【００１７】
この冷気循環用通風路６内には送風機７と冷却器８が配置されていて、冷却器８により冷やされた冷気を送風機７により循環供給して貯蔵室２の前方の開口部をエアーカーテン９で覆うようにしている。
【００１８】
内箱４と協同して下方の冷気循環用通風路６ａを構成している外箱５の底パネル１０の上面には送風機７が載置され、この底パネル１０は、霜取り時に溶けたドレン水を排水部１１に導くために、底パネル１０の後方（図１の紙面右側）から前方（図１の紙面左側）に向かって約θ＝３゜の下り傾斜となった平坦面に仕上げられている。
【００１９】
内箱４の底部を構成するベース棚板１５には、図２（ａ）、（ｂ）に示すように食品類Ａが載置でき、ベース棚板１５の排水部１１の上部位置であって、排水部１１の直上位置から少しずれた部分には、ベース棚板１５の上面から排水部１１の詰まりや清掃を実施するための本発明の開口部となる点検口２３と、該点検口２３を開閉する点検蓋１７とが設けられている。尚、１５ａは、ベース棚板１５を取り外す際に使用する棚板指孔である。
【００２０】
このように、本実施例では、点検口２３を排水部１１の直上位置から少し離れた位置に設けており、このようにすることは、仮に、点検蓋１７が不必要に外れて点検蓋１７が落下しても、落下した点検蓋１７により排水部１１が損傷してしまうことを回避できるとともに、点検口２３から食品が排水部１１に直接落下して、排水部１１内に食品が侵入してしまうことを防止できることから好ましいが、本発明はこれに限定されるものではなく、これら点検口２３を排水部１１の直上位置に設けるようにしても良い。
【００２１】
通常において点検口２３は、点検蓋１７により閉鎖されていて、該点検蓋１７上にも食品類Ａを積上げて販売展示できるようになっており、排水部１１を点検、清掃する際は、点検蓋１７上に展示されている食品類Ａを取り除いた後、点検口２３を開いて、排水部１１を点検し、点検によって必要があれば清掃する。
【００２２】
点検蓋１７は、図２（ａ）、（ｂ）並びに図４に示すように方形板状とされているとともに、前方端部側に近い位置には指孔１８が穿設されている。
【００２３】
また、点検蓋１７が装着される本実施例のベース棚板１５の上面版１５Ａには、図２（ｂ）に示すように、点検蓋１７を構成する上面板１７ａの外形寸法よりやや大きな寸法とされた開口１６と、該開口１６に、外周部が折り曲げ加工された載置板２０を上面版１５Ａの裏面側から覆うように設ける（図７参照）ことにより点検蓋１７の厚みとほぼ同じ深さとされた凹部１６’が設けられており、該凹部１６’に点検蓋１７が収容されることで、点検蓋１７とベース棚板１５とがほぼ面一を成すようになっている。
【００２４】
具体的には、図５並びに図６に示すように、載置板２０を成す鉄板は、点検蓋１７を構成する後述する上面板１７ａと下面板１７ｂとほぼ同じ厚みとされているとともに、該載置板２０の外周部が、所定幅にわたって全て同じ方向に折り返し加工され、該折り返し部の内部２４が開口１６とほぼ同一寸法となるようにされており、折り返し部の内部２４と開口１６とが合致するように、折り返し部をベース棚板１５の上面版１５Ａの裏面に配置し（図７参照）、該折り返し部をスポット溶接することで、点検蓋１７の厚みと同じ深さとされた凹部１６’が、ベース棚板１５に形成されるようになってる。
【００２５】
この載置板２０には、開口１６の前後方向の開口寸法よりも短い開口寸法とされた矩形の点検口２３が形成されており、点検蓋１７を開放することで該点検口２３が露出し、該点検口２３を通じて、図２（ａ）に示すように、排水口１１や、該排水口１１周囲の排水通路１２や、該排水通路１２に結露水等を誘導する底パネル１０の状況を確認できるようになっている。
【００２６】
点検口２３は、前述したように、開口１６の前後方向の開口寸法よりも短い開口寸法とされているため、その前縁と後縁には、載置板２０の上面が開口１６に露出することで段下げ面２０ａが形成されており、これら前縁と後縁のそれぞれの各段下げ面２０ａには、前後方向に細長とされた係止孔２１、２２が形成されており、図３に示すように、該係止孔２１、２２に点検蓋１７の裏面に形成された係止片部３０、３１が挿入されることで、点検蓋１７の回動やずれが防止されるようになっている。
【００２７】
この係止孔２１、２２の幅は、係止片部３０の厚みよりも少し大きな幅とされているとともに、係止孔２１の前後方向の長さは、係止片部３１の水平方向の長さよりも少し長い長さとされていて、該係止孔２１に係止片部３１を挿入されて、後方へ水平移動されることで、該係止片部３１の後述する水平延部の上端が、載置板２０の裏面に当接可能とされいる。
【００２８】
尚、係止孔２２の前後方向の長さは、係止片部３０の前後方向の幅に、係止片部３１の水平延部の長さを加えた長さとされており、水平移動において係止片部３０も係止孔２２内を移動できるようになっている。
【００２９】
また、係止片部３０、３１の高さは、点検蓋１７の短辺を、点検口２３の対角線に配置した際において、段下げ面２０ａに十分に引っかかるような長さとされており、このようにすることで、大がかりな清掃時において、点検蓋１７を完全に取り外した場合であっても、点検蓋１７が点検口２３内に落下しないようになっている。
【００３０】
本実施例の点検蓋１７は、図４に示すように、同一厚みの鉄板から打ち抜きにより切り出した上面板１７ａと、折曲げ加工により立設される係止片部３０、３１を有する下面板１７ｂとから構成され、該下面板１７ｂが上面板１７ａの中央部を前後方向に横断するように配置されてスポット溶接Ｘにて一体化されている。
【００３１】
尚、図中３１は、上面板１７ａに形成された指孔１８に対応する開口であり、指孔１８は、挿通される指が損傷しないように、上面板１７ａの裏面側にカーリング加工されているので、該カーリング加工された折り出し部分と干渉しないように、指孔１８よりも大きな径とされている。
【００３２】
下面板１７ｂに折曲げにより立設される後方側の２つの係止片部３１は、水平方向後方側に延びる水平延部を有する側面視Ｌ字状とされているのに対し、前方側の２つの係止片部３０は、水平延部を有しない側面視Ｉ字状とされている。
【００３３】
このように、後縁の段下げ面２０ａに形成された係止孔２１に挿入される係止片部３１のみに、水平方向後方側に延びる水平延部を形成することは、図６のＢ−Ｂ断面図に示すように、装置の前方側から、点検蓋１７の後縁側を支点として前縁側を持ち上げて点検蓋１７を回動させる際に、これら水平延部を水平方向前方側に設けた場合に比較して、これら点検蓋１７の回動が水平延部によって規制されて、回動が良好に実施できなくなることがなく、且つ、不必要に係止片部３１が係止孔２１から抜去してしまうことも極力防止できることから好ましいが、本発明はこれに限定されるものではなく、例えば、係止片部３０に水平方向前方側或いは水平方向方向側に水平延部を設けるようにしても良い。
【００３４】
また、係止片部３１には、Ｌ字の曲がり部に公知の結束バンド（ケーブルタイ）３５を挿通するための結束孔３２が穿設されており、図４、図６に示すように、各係止片部３１を係止孔２１に挿入した後、両結束孔３２に結束バンド（ケーブルタイ）３５を挿通、締着することで、係止片部３１が係止孔２１から抜去されることを防止できるようになっている。
【００３５】
尚、大がかりな清掃時において、点検蓋１７を取り外す際には、結束バンド（ケーブルタイ）３５を切断して、点検蓋１７を取り外すようにすれば良い。
【００３６】
このように、結束バンド（ケーブルタイ）３５を挿通、締着することは、点検蓋１７の前縁側を持ち上げて回動させることを可能としつつ、結束バンド（ケーブルタイ）３５によって係止片部３１が係止孔２１から抜去されることを、確実に防止できることから好ましいが、本発明はこれに限定されるものではなく、これら結束バンド（ケーブルタイ）３５を締着しないようにしても良い。
【００３７】
また、本実施例では、結束バンド（ケーブルタイ）３５を使用しているが、本発明はこれに限定されるものではなく、例えば、金属製またはプラスチック製の挿通ピンを結束孔３２に挿通するようにしても良い。
【００３８】
以上、本実施例のようにすれば、点検蓋１７とベース棚板１５の上面とがほぼ面一となるので、ベース棚板１５と点検蓋１７との段差が解消されるとともに、点検蓋１７の裏面に形成された係止片３０、３１が係止孔２１、２２に挿入されて点検蓋１７が係止されるようになるので、商品の陳列や取り出し時における点検蓋の位置ずれを生じ難くなるばかりか、引用文献１に示すような、スライド扉をスライドさせるための複雑な構造や部材等が必要ないので、これら点検口を有するベース棚板１５の重量を低減できるので、ベース棚板１５の設置や取り外しを楽にできるようになるとともに、ベース棚板１５のコストも低減できる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、係止片３１をＬ字状としているが、本発明はこれに限定されるものではなく、これら係止片の形状を、図８に示すように、側面視、略Ｚ字状の係止片３１’とすることで、更に、係止片３１’の不必要な抜け出しを抑止できるようにしても良い。
【００４１】
また、前記実施例では、点検蓋１７を前後方向に回動可能としており、このようにすることは、ショーケースの前方側から点検蓋１７を回動開放させる際の操作性が向上することから好ましいが、本発明はこれに限定されるものではなく、点検蓋１７を棚板の幅方向である左右方向に回動開放させるようにしても良い。
【００４２】
また、前記実施例では、点検口２３を矩形状とした形態を例示したが、本発明はこれに限定されるものではなく、これら点検口２３をその他の形状、例えば、図９に示すように、円形としたり、或いは楕円形としても良い。
【００４３】
尚、図９に示すように、円形の点検口２３’とする場合には、点検口２３’の直径を点検蓋の短辺よりも短くすることが好ましく、このようにすることで、点検口２３’からの点検蓋の落下を完全に防止できる。
【００４４】
また、これら円形の点検口２３’とする場合には、凹部１６’の隅部に係止孔２１’、２２’を形成することで、点検口２３’の面積を比較的大きくすることができるとともに、点検蓋のがたつきも低減できる。
【００４５】
また、前記実施例では、係止片３１を水平縁部を有するＬ字状としており、このようにすることは、点検蓋１７が垂直方向に持ち上げられても、水平延部がベース棚板１５の裏面、具体的には、載置板２０の裏面に当接するので、商品の陳列や取り出し時において、不必要に係止片３１が係止孔２１から抜去されてしまうことを極力防止できることから好ましいが、本発明はこれに限定されるものではなく、これら係止片を全て、水平縁部を有しない係止片３０としても良い。
【００４６】
また、前記実施例によれば、矩形とされた点検口２３の少なくとも対向する辺縁となる、前縁と後縁とに係止孔２１、２２を有することで、点検蓋１７の水平方向の回動が規制されるようになるので、点検蓋１７の回動による位置ずれを防止できるが、本発明はこれに限定されるものではなく、点検口２３のいずれか１つの辺縁のみに係止孔を設けるようにしても良い。
【００４７】
また、前記実施例では、前縁と後縁とに、それぞれ２つづつの係止孔２１、２２を設けているが、本発明はこれに限定されるものではなく、これら係止孔２１、２２を前縁と後縁とに１つづつ設けるようにしても良い。
【００４８】
また、前記実施例では、指孔１８を点検蓋１７の前方側位置に設けるようにしており、このようにすることは、指孔１８とすることで、突起部等がないので、点検蓋１７上に載置されて展示される商品のがたつきを防止できるとともに、点検蓋１７を後縁側を支点として回動させて点検する際において、点検蓋１７を回動させるのに必要な力を低減できることから好ましいとともに、これら指孔１８を、臭気が発生しやすい排水口１１の直上位置からの距離を大きくできるので、排水口１１からの臭気が、指孔１８を通過して内箱４内に漏れにくくできることから好ましいが、本発明はこれに限定されるものではなく、これら指孔１８を点検蓋１７の中央位置や後縁側に設けるようにしたり、指孔１８以外に、上面板１７ａを貫通し、一方端が点検蓋１７の裏面に固定された紐等を設けるようにしても良い。
【図面の簡単な説明】
【００４９】
【図１】本発明が適用された冷凍・冷蔵ショーケースの側断面図である。
【図２】本発明の冷凍・冷蔵ショーケースに用いたベース棚板の部分斜視図であり、開閉蓋が載置されて点検口が閉ざされている状態であり、（ｂ）は開閉蓋が取り外されて点検口が開かれている状態を示している。
【図３】本発明の冷凍・冷蔵ショーケースにおける開閉蓋の点検口への取付け状況を示す図である。
【図４】本発明の冷凍・冷蔵ショーケースにおける開閉蓋の裏面斜視図である。
【図５】本発明の冷凍・冷蔵ショーケースにおける点検口のＡ−Ａ断面図である。
【図６】本発明の冷凍・冷蔵ショーケースにおける点検口のＢ−Ｂ断面図である。
【図７】本発明の冷凍・冷蔵ショーケースに用いたベース棚板の裏面分解斜視図である。
【図８】本発明の他の実施形態の開閉蓋を示す裏面斜視図である。
【図９】本発明の他の実施形態のベース棚板を示す斜視図である。
【符号の説明】
【００５０】
１              ショーケース
２              貯蔵室
３              陳列棚
４              内箱
５              外箱
６              冷気循環用通風路
６ａ            下方冷気循環用通風路    
７              送風機
８              冷却器
９              エアーカーテン
１０            底パネル
１１            排水部
１２            排水通路
１５、１５’    ベース棚板
１５ａ          棚板指孔
１５Ａ          上面版
１６            開口
１６’          凹部
１７            点検蓋
１７ａ          上面板
１７ｂ          下面板
１８            指孔
２０            載置板
２０ａ          段下げ面
２１、２２      係止孔
２３            点検口
３０，３１      係止片部
３２            クリップ孔
３５            結束バンド（ケーブルタイ）
Ａ              食品類
【図１】
2010117043.tif 000003
【図２】
2010117043.tif 000004
【図３】
2010117043.tif 000005
【図４】
2010117043.tif 000006
【図５】
2010117043.tif 000007
【図６】
2010117043.tif 000008
【図７】
2010117043.tif 000009
【図８】
2010117043.tif 000010
【図９】
2010117043.tif 000011